(57)【要約】      （修正有）【課題】作業者の前側にて手持式作業機を吊り下げて手持式作業機の荷重による負荷を低減させる作業補助具で、手持式作業機が作業者に当たらないようにする。【解決手段】作業補助具１０は、作業者の胴体部に装着する胴体部装着具２０と、胴体部装着具２０から作業者の手の上側に延びるアーム３０と、アーム３０の先端部から垂れ下がるワイヤ４０と、作業者の腕に装着され、ワイヤ４０によって吊り下げられる腕部装着具５０とを備え、作業者が手で把持する手持式作業機Ｗを腕部装着具５０を介してワイヤ４０によって吊り下げるようにした。【選択図】図１
2017109290.tif 000002
【特許請求の範囲】
【請求項１】
作業者の胴体部に装着する胴体部装着具と、
前記胴体部装着具から作業者の腕の上側に延びるアームと、
前記アームの先端部から垂れ下がるワイヤと、
前記作業者の腕に装着され、前記ワイヤによって吊り下げられる腕部装着具とを備え、
前記作業者が手で把持する手持式作業機を前記腕部装着具を介して前記ワイヤによって吊り下げるようにしたことを特徴とする作業補助具。
【請求項２】
請求項１に記載の作業補助具において、
前記アームには管材を採用し、
前記ワイヤを前記アーム内に摺動自在に挿通するようにし、
前記胴体部装着具には前記ワイヤを所定の荷重で引くスプリングバランサを設けたことを特徴とする作業補助具。
【請求項３】
請求項１または２に記載の作業補助具において、
前記アームは前記胴体部装着具から上側に延びる第１アーム部と、前記第１アーム部の先端部から前方に延びる第２アーム部とを備え、前記第１アームと前記第２アームの少なくとも一方を伸縮自在としたことを特徴とする作業補助具。
【請求項４】
請求項１〜３の何れか１項に記載の作業補助具において、
前記胴体部装着具は作業者の背中に装着される背当て部と、前記背当て部に設けたショルダーストラップとウェストストラップとを有したハーネスとしたことを特徴とする作業補助具。
【請求項５】
請求項１〜４の何れか１項に記載の作業補助具において、
前記腕部装着具は前記作業者の手に装着されるグローブとしたことを特徴とする作業補助具。
【請求項６】
請求項１〜４の何れか１項に記載の作業補助具において、
前記腕部装着具は前記作業者の前腕部に装着される筒形のバンドとしたことを特徴とする作業補助具。
【請求項７】
請求項１〜４の何れか１項に記載の作業補助具において、
前記腕部装着具は前記作業者の手で握って装着されるグリップとしたことを特徴とする作業補助具。
【発明の詳細な説明】
【技術分野】
【０００１】
本発明は、作業者が手で把持して作業する手持式作業機の荷重による負荷を減らすことを目的とした作業補助具に関する。
【背景技術】
【０００２】
特許文献１には、作業者が手で把持して作業する手持式作業機の荷重による負荷を減らすことを目的とした作業補助具が開示されている。この作業補助具は、作業者がショルダーストラップとウェストストラップとを用いて背負うハーネスと、ハーネスに装着されて作業者の前側上部まで延びる管状アームと、管状アーム内に摺動自在に挿通されて管状アームの前側上部から垂れ下がるワイヤと、ハーネスに装着されてワイヤを所定の荷重で引くスプリングバランサと、ワイヤの先端に設けられたフックとを備えている。この作業補助具では、フックを作業者が把持する手持式作業機に引っ掛けることにより、手持式作業機は作業者の前でワイヤによって吊り下げられるようになり、作業者は手持式作業機の荷重による負荷を受けないようにすることができる。
【先行技術文献】
【特許文献】
【０００３】
【特許文献１】ＷＯ９７／１４５４０号公報
【発明の概要】
【発明が解決しようとする課題】
【０００４】
上記の特許文献１に記載の作業補助具は、手持式作業機を作業者の前でワイヤによって吊り下げられるようにしているので、作業者は手持式作業機の荷重による負荷を感じずに作業をすることができる。しかし、作業者が手持式作業機を把持している手を離したときに、手持式作業機が作業者の前側で揺動しながら吊り下げられることになり、手持式作業機が作業者に当たるおそれがあった。本発明は、作業者の前側にて手持式作業機を吊り下げて手持式作業機の荷重による負荷を低減させる作業補助具で、手持式作業機が作業者に当たらないようにすることを目的とする。
【課題を解決するための手段】
【０００５】
上記課題を解決するために、本発明は、作業者の胴体部に装着する胴体部装着具と、胴体部装着具から作業者の腕の上側に延びるアームと、アームの先端部から垂れ下がるワイヤと、作業者の腕に装着され、ワイヤによって吊り下げられる腕部装着具とを備え、作業者が手で把持する手持式作業機を腕部装着具を介してワイヤによって吊り下げるようにしたことを特徴とする作業補助具。
【０００６】
上記のように構成した作業補助具においては、作業者の把持する手持式作業機は作業者の腕に装着された腕部装着具を介してワイヤによって吊り下げられるので、作業者は把持した手持式作業機の荷重による負荷を感じずに作業をすることができる。このとき、作業者が手持式作業機を把持している手を離しても、手持式作業機はワイヤによって直接吊り下げられてないので地面に落下するようになり、手持式作業機が作業者の前側で吊り下げられて作業者に当たらないようになった。
【０００７】
上記のように構成した作業補助具においては、アームには管材を採用し、ワイヤをアーム内に摺動自在に挿通するようにし、胴体部装着具にはワイヤを所定の荷重で引くスプリングバランサを設けるのが好ましい。このようにしたときには、スプリングバランサにより手持式作業機の荷重に応じてワイヤを引くようにすることができる。また、スプリングバランサをアームの先端部に取り付けることなく胴体部装着具に取り付けたので、アームの先端部が重くなるのを防ぐことができた。
【０００８】
上記のように構成した作業補助具においては、アームは胴体部装着具から上側に延びる第１アーム部と、第１アーム部の先端部から前方に延びる第２アーム部とを備え、第１アームと第２アームの少なくとも一方を伸縮自在とするのが好ましい。このようにしたときには、作業者の体格に応じて第２アーム部の先端部を作業者の腕の上側に配置することが可能となる。
【０００９】
上記のように構成した作業補助具においては、胴体部装着具は作業者の背中に装着される背当て部と、背当て部に設けたショルダーストラップとウェストストラップとを有したハーネスとするのが好ましい。このようにしたときには、胴体部装着具を手間を掛けずに装着することができる。
【００１０】
上記のように構成した作業補助具においては、腕部装着具の一実施形態として作業者の手に装着されるグローブとしてもよい。また、腕部装着具の他の実施形態として作業者の前腕部に装着される筒形のバンドとしとしてもよい。さらに、腕部装着具の他の実施形態として作業者の手で握って装着されるグリップとしてもよい。
【図面の簡単な説明】
【００１１】
【図１】本発明の作業補助具の一実施形態を示す作業者が装着した状態での左側面図である。
【図２】腕部装着具にバンドを採用したときの図１に相当する左側面図である。
【図３】腕部装着具にグリップを採用したときの図１に相当する左側面図である。
【発明を実施するための最良の形態】
【００１２】
以下、本発明の作業補助具の一実施形態を添付図面を参照して説明する。図１に示したように、作業補助具１０は、作業者が手で把持して作業する手持式作業機Ｗの荷重による負荷を減らすことを目的としたものである。この実施形態では手持式作業機の一例としてヘッジトリマＷを用いて説明する。なお、ヘッジトリマＷは公知の手持式作業機であるので詳細な説明を省略する。作業補助具１０は、作業者の胴体部に装着する胴体部装着具２０と、胴体部装着具２０から作業者の腕（手）の上側に延びるアーム３０と、アーム３０の先端部から垂れ下がるワイヤ４０と、作業者の腕に装着され、ワイヤ４０によって吊り下げられる腕部装着具５０とを備えている。
【００１３】
胴体部装着具２０は作業者の胴体部（肩、胸、腹部、背中等）に装着されるものであり、この実施形態では作業者の背中に装着されるハーネスを用いたものである。胴体部装着具２０は、作業者の背中に装着される背当て部２１と、背当て部２１に設けた左右一対のショルダーストラップ２２と、背当て部の下部に設けたウェストストラップ２３とを備えている。なお、胴体部装着具２０はハーネスに限られるものでなく、作業者の胴体部に装着されるものであればベスト等の衣類、背負子等を用いてもよい。胴体部装着具２０の背当て部２１の後面にはアーム３０とスプリングバランサ４１が取り付けられている。
【００１４】
アーム３０はワイヤ４０を作業者の腕の上側に垂れ下げることを目的としたものであり、中空の管材を用いたものでる。アーム３０は背当て部２１の後面に固定されて上側に延びる第１アーム部３１と、第１アーム部３１の先端部から前方に延びる第２アーム部３２とを備えている。第１及び第２アーム部３１，３２は例えばテレスコピック機構によって伸縮自在としたものである。第１アーム部３１は上部及び下部が背当て部２１に固定されており、前後に傾動しにくくなっている。第１アーム部３１は胴体部装着具２０の下部から左斜め上側に延び、第１アーム部３１の上部は作業者の左肩から上側に延びている。第１アーム部３１の長さは作業者の頭部付近まで延びる長さとなっている。第１アーム部３１の下端部を胴体部装着具２０の下部に前後方向の軸線回りに回動可能に取り付けるようにし、第１アーム部３１の上部を作業者の右肩から上側に延出させるようにしてもよい。また、第１アーム部３１はその軸線回りに回動可能となっており、第１アーム部３１の回動によって第２アーム部３２が作業車の前側に第１アーム部３１の軸線回りに回動可能となっている。第１アーム部３１は作業者が正面を向く方向を０°としたときに、作業者の顔側に３°〜作業者の顔と反対側に２０°の範囲で回動させるのが好ましく、第１アーム部３１の回動角度を規制することによって第２アーム部３２が作業者に接触しにくくなるとともに、作業者の手の上側から離れにくくなる。また、第２アーム部３２はその軸線回りに回動可能となっており、第２アーム部３２を３０°以下の範囲で回動可能とするのが好ましい。
【００１５】
第１アーム部３１の上側の先端部には取付金具３３を介して第２アーム部３２が固定されている。第２アーム部３２は第１アーム部３１の上端から斜め上側の前方に延びており、第２アーム部３２の長さは作業者が作業姿勢となるように腕を前側に伸ばしたときの上側となる長さとなっている。第２アーム部３２の前端部には摺動するワイヤ４０の滑りを良好とする滑車３４が設けられている。また、第１及び第２アーム部３１，３２を連結する取付金具３３にも滑車３５が設けられており、滑車３５は第１及び第２アーム部３１，３２を通るワイヤ４０の滑りを良好としている。なお、この実施形態のアーム３０は第１アーム部３１と、第１アーム部３１の先端部に固定した第２アーム部３２よりなるが、これに限られるものでなく、例えば第１アーム部３１と第２アーム部３２とを１つの管材により一体的に形成したものであってもよい。また、第１アーム部３１と第２アーム部３２の間の角度を鈍角としたものに限られるものでなく、直角または鋭角としたものであってもよい。さらに、アーム３０を円弧形として、背当て部２１から作業者の腕（手）の上側まで延出させたものであってもよい。
【００１６】
ワイヤ４０は手持式作業機であるヘッジトリマＷを吊り下げるものであり、背当て部２１の後面下部に設けたスプリングバランサ４１から導出されている。スプリングバランサ４１から導出されたワイヤ４０は下端開口から第１アーム部３１内に挿通され、第１アーム部３１の上端開口及び第２アーム部３２の後端開口を通って第２アーム部３２の前端開口から導出されている。ワイヤ４０は第２アーム部３２の前端部から作業者の前側に垂れ下がっており、ワイヤ４０の先端部にはカラビナ等の取付金具４２を介して作業者の腕（手）に装着される腕部装着具５０が着脱可能に取り付けられている。この実施形態の腕部装着具５０は作業者の手に装着されるグローブを用いたものである。スプリングバランサ４１はワイヤ４０をヘッジトリマＷを重量に応じた所定の荷重で引くものである。なお、スプリングバランサ４１はヘッジトリマ等の手持式作業機の重量に応じて引く力を変更可能としている。
【００１７】
次に、作業者が作業補助具１０を装着したときのヘッジトリマＷを用いた作業について説明する。作業者が胴体部装着具２０であるハーネスを装着し、ワイヤ４０を引っ張って先端部の取付金具４２を腕部装着具５０である左手に装着したグローブに取り付ける。この状態で、作業者は右手でヘッジトリマＷの後部ハンドルＷ１を把持するとともに、左手で前部ハンドルＷ２を把持する。この状態で、作業者は右手で後部ハンドルＷ１に設けたトリガスイッチをオン操作すると、上下一対のシャーブレードＷ３が互いに逆向きに前後に往復動し、シャーブレードＷ３を生垣に当てることで、生垣の枝が互いに逆向きに往復動する上下一対のシャーブレードＷ３によって切断される。このとき、作業者の左手の腕部装着具５０はワイヤ４０によって第２アーム部３２の前端部から吊り下げられており、ヘッジトリマＷは前部ハンドルＷ２を把持した手に装着した腕部装着具５０を介してワイヤ４０によって第２アーム部３２の前端部から吊り下げられることになり、作業者は把持したヘッジトリマＷの荷重による負荷を感じずに作業をすることができる。この作業補助具１０は、ヘッジトリマＷをワイヤ４０によって直接吊り下げたものでなく、ヘッジトリマＷを作業者が把持した手に装着した腕部装着具５０を介して吊り下げるようにしたものであるため、作業者が作業中にヘッジトリマＷを把持している手を離しても、ヘッジトリマＷは作業者の前で吊り下げられずに地面に落下するようになり、ヘッジトリマＷが作業者の前側で吊り下げられることによって作業者に当たらないようになった。
【００１８】
作業補助具１０においては、アーム３０には管材が採用され、ワイヤ４０をアーム３０内に摺動自在に挿通するようにし、胴体部装着具２０にはワイヤ４０を所定の荷重で引くスプリングバランサ４１を設けた。これにより、スプリングバランサ４１によってヘッジトリマＷの荷重に応じてワイヤ４０を引くようにすることができ、作業者はヘッジトリマＷの荷重による負荷を感じないで、または、ヘッジトリマＷの荷重による必要最低限の負荷を感じるだけで剪定の作業をすることができる（手持式作業機を少しの荷重だけ感じるようにすることで、手持式作業機の操作感を感じるようにして使用することができる）。
【００１９】
作業補助具１０においては、アーム３０は胴体部装着具２０の背当て部２１から上側に延びる第１アーム部３１と、第１アーム部３１の先端部から前方に延びる第２アーム部３２とを備え、第１アーム部３１と第２アーム部３２の両方を伸縮自在とした。これにより、作業者の体格に応じて第２アーム部３２の先端部を作業者の手の上側に配置することが可能となり、作業者の前側の使用しやすい位置でヘッジトリマＷをワイヤ４０によって吊り下げることができるようになった。なお、この実施形態では第１及び第２アーム部３１，３２の両方を伸縮自在としたが、本発明はこれに限られるものでなく、効果は限定的となるが第１及び第２アーム部３１，３２の一方を伸縮自在としてもよい。
【００２０】
作業補助具１０においては、胴体部装着具２０は作業者の背中に装着される背当て部２１と、背当て部２１に設けたショルダーストラップ２２とウェストストラップ２３とを有したハーネスとした。このようにしたときには、作業者は胴体部装着具２０を手間を掛けずに装着することができる。また、ショルダーストラップ２２とウェストストラップ２３とによって、背当て部２１が作業者の背中から離れないようになり、背当て部２１に固定したアーム３０の先端部が前方に倒れにくくすることができた。なお、胴体部装着具２０にはさらにチェストストラップを設けるようにしてもよい。
【００２１】
作業補助具１０においては、腕部装着具５０には作業者の手に装着されるグローブを採用している。作業者は腕部装着具５０としたグローブを手に装着するだけであるので、腕部装着具５０を簡単に着脱できるようになった。また、腕部装着具５０の他の実施形態として、図２に示したように、作業者の前腕部（上腕部であってもよい）に装着される筒形のバンドを採用してもよい。なお、このバンドは筒形のバンドに限られるものでなく、布材を前腕部（または上腕部）に巻き付けて使用するバンドであってもよい。また、腕部装着具５０に採用したバンドの形状を腕の長手方向に沿った断面がＣ形をした可撓性のバンドを採用したものであってもよい。さらに、腕部装着具５０の他の実施形態として、図３に示したように、作業者の手で握る環状のグリップを採用してもよい。腕部装着具５０にグリップを採用したときには、作業者はヘッジトリマＷの前部ハンドルＷ２とともに腕部装着具５０としたグリップを把持して使用する。なお、グリップは環状に限られるものでなく、Ｌ形、棒状等の種々の形状を採用してもよい。
【００２２】
上記の実施形態においては、手持式作業機の一例としてヘッジトリマを用いて説明したが、本発明の作業補助具１０を用いて補助する手持式作業機の他の例として、刈払機、チェーンソー、手持式ブロワ、園芸用バリカン等の手持式園芸作業機を採用することもできるし、ハンマ、ハンマドリル、ドライバ等の手持式電動工具（手持式作業機）を採用することもできる。このように、作業補助具１０は様々な種類の手持式作業機を把持したときの荷重による負荷を減らすことができる。
【符号の説明】
【００２３】
１０…作業補助具、２０…胴部装着具、２１…背当て部、２２…ショルダーストラップ、２３…ウェストストラップ、３０…アーム、３１…第１アーム部、３２…第２アーム部、４０…ワイヤ、４１…スプリングバランサ、５０…腕部装着具。
【図１】
2017109290.tif 000003
【図２】
2017109290.tif 000004
【図３】
2017109290.tif 000005